(57)【要約】【課題】移動式クレーンによって昇降動される穴掘り用ハンマの衝突によってブームが損傷するのを防止することである。【解決手段】上部旋回体４に支持された起伏可能なラチスブーム５の先端部にガイドシーブ８およびトップシーブ９を設け、そのガイドシーブ８およびトップシーブ９に巻回された巻上げロープ１０に穴掘り用ハンマ１２を支持する吊下げ具１１を吊下げる。ラチスブーム５のハンマ１２と対向する前面側に弾性を有する緩衝体２２を取付け、上方に移動されたハンマ１２が揺れ動いた際に緩衝体２２にハンマ１２を衝突させてラチスブーム５にハンマ１２が直接衝突するのを避けると共に、緩衝体２２に対するハンマ１２の衝突時に緩衝体２２を弾性変形させて衝撃力を吸収し、ラチスブーム５が損傷するのを防止する。【選択図】図１
2010126276.tif 000002
【特許請求の範囲】
【請求項１】
上部旋回体に支持された起伏可能なブームの先端部にガイドシーブおよびトップシーブを設け、そのガイドシーブおよびトップシーブに巻回された巻上げロープに吊下げ具を吊下げ、前記上部旋回体に支持されたウインチユニットにより前記巻上げロープの巻き上げおよび巻き下げを行なって吊下げ具を上下動させるようにした移動式クレーンにおいて、
前記ブームの前記吊下げ具と対向する前面側の少なくとも先端部に弾性を有する衝撃力緩衝体を設けたことを特徴とする移動式クレーン。
【請求項２】
前記ブームがラチスブームからなり、そのラチスブームの前面両側に位置する２本の主柱材間に緩衝体を支持する金属製の緩衝体ホルダを渡し、その緩衝体ホルダの両端部を主柱材に嵌合されるＵボルトの締付けにより着脱自在に取付け、その緩衝体ホルダの複数をラチスブームの長さ方向に並列に設けた請求項１に記載の移動式クレーン。
【発明の詳細な説明】
【技術分野】
【０００１】
この発明は、穴堀り用ハンマを用いて地盤に穴を形成する場合や建築用資材等の各種物品の搬送を行なう移動式クレーンに関する。
【背景技術】
【０００２】
左右一対のクローラを有する下部走行体上に上部旋回体を設け、その上部旋回体に支持された起伏可能なラチスブームの先端部にガイドシーブおよびトップシーブを設け、そのガイドシーブおよびトップシーブに巻回された巻上げロープにシーブを有する吊下げ具を吊下げ、上記上部旋回体に支持されたウインチユニットにより巻上げロープの巻き上げ、巻き下げを行なって、上記吊下げ具を上下動させるようにした移動式クレーンは従来から知られている。
【０００３】
上記の移動式クレーンを用いて地盤に建て込まれたケーシング内の土の取り除きによる穴掘り作業に際しては、吊下げ具に一対の開閉蓋を下端に有する穴堀り用ハンマを取付け、巻上げロープの巻き上げ、巻き下げを行なって、ハンマを上下動させるようにしている。
【０００４】
この場合、一対の開閉蓋を開放させた状態でハンマをケーシングの内周面に沿って下降させ、地盤に開閉蓋が突き刺さる状態で、その開閉蓋を閉じ、ハンマ内に土を採り込むようにしている。また、土の採取後、ハンマをケーシングの上方位置まで上昇させる動作と、上部旋回体を旋回する動作、旋回後にハンマを下降させる動作を行い、必要に応じてブームを起伏してハンマを目的位置まで移動させ、その移動後に開閉蓋を開放して、採取した土を目的位置に排出するようにしている。
【発明の開示】
【発明が解決しようとする課題】
【０００５】
ところで、上記のような移動式クレーンを用いてケーシング内で穴堀り作業を行なう場合、ブームを一定角度傾斜させた状態で穴堀り作業を行なうため、ハンマの上昇時、そのハンマはブームに近接することになる。
【０００６】
また、ハンマの上昇時、上部旋回体の旋回やブームの起伏等により、ハンマは振れを生じながら引き上げられることがあり、その際、ハンマがブームに衝突し、ブームを損傷させることが多くあった。
【０００７】
この発明の課題は、移動式クレーンによって昇降動される穴掘り用ハンマ等の吊下げ昇降物の衝突によってブームが損傷するのを防止することである。
【課題を解決するための手段】
【０００８】
上記の課題を解決するため、この発明においては、上部旋回体に支持された起伏可能なブームの先端部にガイドシーブおよびトップシーブを設け、そのガイドシーブおよびトップシーブに巻回された巻上げロープに吊下げ具を吊下げ、前記上部旋回体に支持されたウインチユニットにより前記巻上げロープの巻き上げおよび巻き下げを行なって吊下げ具を上下動させるようにした移動式クレーンにおいて、前記ブームの前記吊下げ具と対向する前面側の少なくとも先端部に弾性を有する衝撃力緩衝体を設けた構成を採用したのである。
【０００９】
上記のように、ブームの前面側に緩衝体を設けることにより、吊下げ具の上昇時に、その吊下げ具や、その吊下げ具に吊下げ支持された吊下げ物品がブーム側に大きく揺れ動いても、その吊下げ具や吊下げ物品は緩衝体に衝突してブームに直接衝突するようなことがなく、上記緩衝体への衝突により、緩衝体が弾性変形して衝撃力を吸収するため、ブームが損傷するようなことはない。
【００１０】
ここで、クレーンのブームは伸縮式のブームであってもよく、あるいは、４本の主柱材間に多数の骨材を渡した骨組み構造のラチスブームであってもよい。ラチスブームの場合において、そのラチスブームの前面両側に位置する２本の主柱材間に緩衝体を支持する金属製の緩衝体ホルダを渡し、その緩衝体ホルダの両端部を主柱材に嵌合されるＵボルトの締付けにより着脱自在に取付け、その緩衝体ホルダの複数をラチスブームの長さ方向に並列に設けることにより、緩衝体に負荷される衝撃力を緩衝体ホルダで受けることができるため、衝撃力を効果的に吸収することができ、ラチスブームの損傷防止に大きな効果を挙げることができる。
【００１１】
また、既存のラチスブームに対して緩衝体を簡単に取付けることができると共に、破損した緩衝体の取り替えも容易である。
【発明の効果】
【００１２】
上記のように、この発明においては、ブームの前面側における少なくとも先端部に緩衝体を設けたことにより、吊下げ具の引き上げの際、その吊下げ具や吊下げ支持された吊下げ物品が揺れ動いても、その吊下げ具や吊下げ物品は緩衝体に衝突することになり、その緩衝体に対する衝突時の衝撃力は緩衝体の弾性変形により吸収されるため、ブームに大きな衝撃力が負荷されるようなことがなく、ブームの損傷防止に効果を挙げることができる。
【発明を実施するための最良の形態】
【００１３】
以下、この発明の実施の形態を図面に基いて説明する。図１に示すように、移動式クレーン１は、左右に一対のクローラ３が設けられた下部走行体２と、その下部走行体２の上部に設けられた上部旋回体４を有し、上記上部旋回体４にブーム５の下端部が回動自在に支持され、その支持部を中心にしてブーム５は起伏自在とされている。
【００１４】
図１および図２に示すように、ブーム５は、４隅にパイプからなる主柱材６を有し、その主柱材６間に型材や小径パイプからなる多数の骨材７を渡した骨組み構造のラチスブームからなる。
【００１５】
ラチスブーム５の先端部には、ガイドシーブ８およびトップシーブ９が設けられ、そのガイドシーブ８およびトップシーブ９に巻回された巻上げロープ１０に吊下げ具１１が吊下げ支持されている。また、吊下げ具１１には吊下げ物品としての穴堀用のハンマ１２が支持されている。
【００１６】
巻上げロープ１０は、上部旋回体４に支持されたウインチユニット１３により巻き上げ、巻き下げられ、その巻上げロープ１０の巻き上げ、巻き下げによってハンマ１２が上下動するようになっている。
【００１７】
ラチスブーム５には、ハンマ１２と対向する前面側に複数の衝撃吸収具２０がラチスブーム５の長さ方向に並列に設けられている。
【００１８】
図３乃至図５に示すように、衝撃吸収具２０は、金属からなる緩衝体ホルダ２１と、その緩衝体ホルダ２１に支持された緩衝体２２とからなる。
【００１９】
緩衝体ホルダ２１は、２本の主柱材６間に渡る長さの板状の座板２１ａの外周部に周枠２１ｂを設けた構成とされ、上記座板２１ａの両端部には対向一対のボルト挿入孔２３が座板２１ａの長さ方向と直交する方向に間隔をおいて形成されている。
【００２０】
緩衝体ホルダ２１は、主柱材６に嵌合されて両端部が上記座板２１ａの対向一対のボルト挿入孔２３に挿入されるＵボルト２４と、そのＵボルト２４の両端部にねじ係合されるナット２５の締付けにより着脱自在に取付けられている。
【００２１】
緩衝体２２は、ゴムあるいは合成樹脂を素材として弾性を有している。この緩衝体２２は緩衝体ホルダ２１の周枠２１ｂ内に配置されて座板２１ａに支持され、その支持状態において表面部は周枠２１ｂの開口から外部に露出しており、また、周枠２１ｂの内周面間に弾性変形可能とする隙間が形成されている。
【００２２】
実施の形態で示す移動式クレーン１は上記の構造からなり、地盤に建て込まれたケーシング内でのハンマ１２による穴堀り作業に際しては、ウインチユニット１３による巻上げロープ１０の巻き下げによりハンマ１２をケーシングの内周面に沿って下降させる。
【００２３】
このとき、ハンマ１２の下端に設けられた一対の開閉蓋１２ａを開放させた状態でハンマ１２を下降させ、そのハンマ１２が地盤で支持されて停止すると、開閉蓋１２ａを閉じ、ハンマ１２内に土を採り込む。
【００２４】
ハンマ１２による土の採取後、巻上げロープ１０の巻き上げによりハンマ１２をケーシングの上方位置まで引き上げると共に、上部旋回体４を旋回し、必要に応じてラチスブーム５を起伏してハンマ１２を排土位置上に変位し、その排土位置上での停止位置からハンマ１２を下降させ、所定高さまで下降した停止状態において、一対の開閉蓋１２ａを開放して、採り込んだ土を目的位置に排出する。
【００２５】
土の排出後、ケーシングの上方位置に向けてハンマ１２を移動させ、そのケーシングの上方位置まで移動させると下降させ、以後、上記動作の繰り返しによってケーシング内の土を順次排出する。
【００２６】
上記のような穴掘り作業は、ラチスブーム５を傾斜させた状態で行なうため、ハンマ１２を引き上げると、ハンマ１２はラチスブーム５に近接することになる。
【００２７】
また、ハンマ１２はラチスブーム５の起伏により揺れ動き、ラチスブーム５に衝突する場合がある。このとき、ラチスブーム５の前面側の先端部には複数の衝撃吸収具２０が取付けられているため、ハンマ１２は衝撃吸収具２０の緩衝体２２に衝突して、ラチスブーム５に直接衝突することがない。
【００２８】
ここで、ハンマ１２が緩衝体２２に衝突すると、緩衝体２２が弾性変形するため、衝撃力は緩衝体２２の弾性変形により吸収されることになり、ラチスブーム５に大きな衝撃力が負荷されることがない。
【００２９】
このように、ラチスブーム５の前面側に衝撃吸収具２０を取付けることにより、ラチスブーム５へのハンマ１２の直接的な衝突を避けることができると共に、緩衝体２２に対するハンマ１２の衝突時の衝撃力は緩衝体２２の弾性変形で吸収することができるため、ラチスブーム５やハンマ１２の損傷防止に大きな効果を挙げることができる。
【００３０】
実施の形態においては、移動式クレーン１によって穴掘り用ハンマ１２の昇降用に用いたが、建築用資材等の物品の荷役搬送用に用いるようにしてもよい。荷役の搬送用に用いることにより、荷物の破損防止に効果を挙げることができる。
【００３１】
また、実施の形態においては、ラチスブーム５における前面側の先端部にのみ複数の衝撃吸収具２０を取付けるようにしたが、ラチスブーム５における前面側の全体に衝撃吸収具２０を取付けるようにしてもよい。
【図面の簡単な説明】
【００３２】
【図１】この発明に係る移動式クレーンの実施の形態を示す正面図
【図２】図１のII−II線に沿った断面図
【図３】衝撃吸収具の取付け部を示す側面図
【図４】図３のIV−IV線に沿った断面図
【図５】衝撃吸収具を示す斜視図
【符号の説明】
【００３３】
４    上部旋回体
５    ラチスブーム
６    主柱材
８    ガイドシーブ
９    トップシーブ
１０  巻上げロープ
１１  吊下げ具
１２  ハンマ（吊下げ昇降物）
２１  緩衝体ホルダ
２２  緩衝体
２４  Uボルト
【図１】
2010126276.tif 000003
【図２】
2010126276.tif 000004
【図３】
2010126276.tif 000005
【図４】
2010126276.tif 000006
【図５】
2010126276.tif 000007